(57)【要約】【課題】軸のない回転子でも、従来のアンバランス測定装置で回転子のアンバランス量の測定を可能としたアンバランス測定用回転子保持具を提供する。【解決手段】軸のない回転子２のアンバランス測定の際に使用する、回転子を保持する回転子保持具３は、テーパー部３１ａを主体とする回転子保持具本体３１と、該回転子保持具本体のテーパー部と嵌め合って回転子の中心の貫通穴２１を保持する保持部材３２とから構成されている。該保持部材は、複数の爪部３２ｂと複数の第１の弾性部３２Ｃ１  とを有すると共にこれらが交互に接合して輪を形成している。更に該保持部材は、環状の座部３２ａと第２の弾性部３２Ｃ２  を有している。【選択図】      図２
2004163374.tif 000002
【特許請求の範囲】
【請求項１】
軸固定型電動機の回転子のアンバランス測定の際に前記回転子を保持するのに使用するものであって、
テーパー部を主体とする回転子保持具本体と、
前記回転子保持具本体のテーパー部と嵌め合って、測定する前記回転子の中心の貫通穴を保持する保持部材とからなるアンバランス測定用回転子保持具において、
前記保持部材が複数の爪部と複数の弾性部とを有していることを特徴とするアンバランス測定用回転子保持具。
【請求項２】
前記爪部と前記弾性部とが接合して輪を形成していることを特徴とする請求項１に記載のアンバランス測定用回転子保持具。
【請求項３】
前記爪部と前記弾性部とからなる内外径形状が略多角形状であることを特徴とする請求項２に記載のアンバランス測定用回転子保持具。
【請求項４】
前記爪部と前記弾性部とからなる内外径形状が略三角形状であることを特徴とする請求項３に記載のアンバランス測定用回転子保持具。
【請求項５】
前記保持部材がフランジ状の座部を更に有していて、前記弾性部が、前記座部と前記爪部との間に第２の弾性部を、前記爪部間に周方向に第１の弾性部を備え、前記第２の弾性部に逃がし穴を形成したことを特徴とする請求項１〜３のいずれか一項に記載のアンバランス測定用回転子保持具。
【発明の詳細な説明】
【０００１】
【発明の属する技術分野】
本発明は、固定軸型電動機の回転子のアンバランス測定において、この回転子を保持するアンバランス測定用回転子保持具に関するものである。
【０００２】
【従来の技術】
一般に電動機の回転子Ａには、図４に示すように軸Ｂが設けられているので、従来の回転子Ａのアンバランス測定においては、その軸Ｂをアンバランス測定装置の軸受部で受けて回転させることにより、回転子Ａの振動を軸受部に設けたセンサで測定してアンバランスの位置や大きさを求めている。
【０００３】
しかしながら、軸が固定されている固定軸型電動機においては、回転子だけがその軸を中心に回転している。従って、この固定軸型電動機の回転子には従来のアンバランス測定装置の軸受部で支持する軸がないので、回転子のアンバランス測定ができないという問題があった。
【０００４】
【発明が解決しようとする課題】
本発明は、上記問題に鑑みてなされたもので、その目的は、軸固定型電動機の軸を有さない回転子であっても、従来のアンバランス測定装置で回転子のアンバランス量の測定を可能とするアンバランス測定用回転子保持具を提供することである。
【０００５】
【課題を解決するための手段】
本発明は、前記課題を解決するための手段として、特許請求の範囲の各請求項に記載のアンバランス測定用回転子保持具を提供する。
請求項１に記載のアンバランス測定用回転子保持具は、テーパー部を主体とする回転子保持具本体と、この回転子保持具本体のテーパー部に嵌め合わされる保持部材とよりなり、この保持部材が爪部と弾性部とを有するものである。これにより、爪部がテーパー部と回転子との隙間に挿入され、回転子をしっかりと保持できる。
【０００６】
請求項２の該回転子保持具は、爪部と弾性部とを接合して輪を形成したものであり、これにより、爪部の周方向への移動が防止でき、爪部間が開き過ぎることもなく、確実に回転子とテーパー部との隙間に挿入し、回転子を保持できる。
請求項３の該回転子保持具は、爪部と弾性部とから内外径形状を略多角形状にしたものであり、これにより、回転子内径に寸法誤差があった場合においても、これに充分対応でき、回転子をしっかりと保持できる。
【０００７】
請求項４の該回転子保持具は、爪部と弾性部とからなる内外径形状を略三角形状にしたものであり、これにより、回転子の安定したチャックが行えるとともに、回転子内径が最大誤差を有する回転子であっても、充分に対応でき、保持することができる。
請求項５の該回転子保持具は、保持部材が更にフランジ状の座部を有していて、座部と爪部間に第２の弾性部を、爪部間に周方向に第１の弾性部を備え、第２の弾性部に逃がし穴を形成したものであり、これにより、座部を押すことによりテーパー部に沿って保持部材を容易に移動させることができ、テーパー部と回転子との隙間に爪部をしっかりと保持できる位置まで挿入することができる。また、逃がし穴を設けることによって、第１、第２の弾性部のバネ定数を加減することができ、回転子のチャック具合いを調整できる。
【０００８】
【発明の実施の形態】
以下、図面に従って本発明の実施の形態のアンバランス測定用回転子保持具について説明する。図１は、アンバランス測定装置の全体構成を示す正面図と側面図である。アンバランス測定装置１は、被測定対象物である軸固定型電動機の回転子２と、この回転子２を保持する回転子保持具３と、回転子２を保持した回転子保持具３を両側で支える軸受部４と、この軸受部４を支える軸受支持台５と、軸受部４と軸受支持台５との間に鉛直方向に架設される板ばね６と、回転子２のアンバランス量に応じた振動を計測するセンサ７と、軸受支持台５を支えるベース８等から構成されている。
【０００９】
軸受部４は、回転子２を保持した回転子保持具３の両端部を載せる一対の２つのローラ４１と、このローラ４１を軸支しているローラ支持ブラケット４２と、ローラ支持プラケット４２と結合する軸受プレート４３とから構成されている。なお、必要に応じてローラ４１の位置を調整するアジャスタ（図示せず）が設けられている。
【００１０】
軸受部４は、ベース８上に直立して設けられる軸受支持台５に板ばね６によって支持されている。即ち、軸受部４の軸受支持プレート４３の下部両側部と軸受支持台５の上部とは、板ばね６によって連結してる。このように、軸受部４は、板ばね６により軸受支持台５から軸受支持プレート４３の下部へ吊り下げられており、その板ばねの平担な側面は、回転子２の軸方向に沿っていて、回転子２のアンバランス量に応じて左右に振動する。
【００１１】
軸受部４の軸受支持プレート４３は、センサ７の触針７１と適宜の手段によって連結されており、回転子２のアンバランス量に応じた軸受部４の振動は、触針７１を介してセンサ７によって測定され、電気信号に変換されてセンサ信号処理装置（図示せず）に送られる。
【００１２】
また、図示されない適宜の駆動手段によって、アンバランス測定時に、回転子２は一定速度で回転させられるようになっている。回転子２がアンバランスである場合、この回転子２の回転によってアンバランス量に応じた振動が軸受部４に生じ、これがセンサ７によって測定される。
【００１３】
図２は、本発明の特徴である、回転子を保持する回転子保持具３の全体構成を示しており、図３は、回転子保持具３の保持部材３２の正面図、平面図及び側面図を示している。回転子保持具３は、回転子保持具本体３１と保持部材３２とから構成されている。回転子保持具本体３１は、中実の丸棒であり、やや先細状にされた、緩やかなテーパー部３１ａが主体となっている。この回転子保持具本体３１を回転子２の中心に形成された貫通穴（内径）２１内に貫挿させ、先細状の−端部３１ｂ側から後述する保持部材３２を回転子保持具本体３１の軸方向に沿って移動させることで、回転子２を保持している。したがって、回転子保持具本体３１の他端部３１ｃは、回転子２の貫通穴２１の径（内径）よりやや大きい径に形成されている。
【００１４】
図３に示されるように、保持部材３２は、略円筒状に形成されていて、その後部側で径方向に環状に突出する座部３２ａと、その前部側に周方向に間隔をあけて形成された複数の爪部３２ｂと、これらの爪部３２ｂ間を周方向に接合する第１の弾性部３２Ｃ１  と、前部側と後部側の間に形成され、座部３２ａと爪部３２ｂとを接合する第２の弾性部３２Ｃ２  とを有している。また、第２の弾性部３２Ｃ２  と第１の弾性部３２Ｃ１  の一部分にかけて、逃がし穴３２ｄが形成されている。この逃がし穴３２ｄは、第１と第２の弾性部３２Ｃ１  ，３２Ｃ２  のバネ定数を加減するために設けられている。複数の爪部３２ｂと複数の第１の弾性部３２Ｃ１  とが交互に接合されることで、輪を形成している。更に、爪部３２ｂの先端には、保持部材３２が回転子２の貫通穴２１へ挿入される際のガイドとなる面取部３２ｅが形成されている。
【００１５】
図３においては、３つの爪部３２ｂと３つの第１の弾性部３２Ｃ１  とが交互に接合されることで、保持部材３２の前部側の内外径形状が略三角形状の輪に形成されているが、更に多くの爪部３２ｂと第１の弾性部３２Ｃ１  を交互に接合することで、その内外径形状を略多角形状の輪に形成してもよい。
【００１６】
次に上記のように構成された回転子保持具３の使い方について説明する。図１に示されるアンバランス測定装置１を使用して、軸固定型電動機の軸を有さない回転子２のアンバランス量を測定する場合には、この回転子保持具３を使用して回転子２を軸受部４に支持させることで、このような回転子２でもアンバランス測定を可能としている。
【００１７】
即ち、まず回転子２の貫通穴２１内へ回転子保持具本体３１をその外周部と回転子２の貫通穴２１の内周面との隙間が無くなりしっかりと保持できる位置（回転子保持具本体３１の他端部３１Ｃ近くの位置）まで挿入する。次に、保持部材３２を回転子保持具本体３１の先細状の一端３１ｂ側から入れて、軸方向に移動させ、回転子２の反対側の貫通穴２１の内周面と回転子保持具本体３１の外周部との隙間に、保持部材３２の座部３２ａを押す等により、保持部材３２の爪部３２ｂを押し込む。その場合、保持部材３２の内面が回転子保持具本体３１の外周部を滑りながら、第１の弾性部３２Ｃ１  及び第２の弾性部３２Ｃ２  の変形に伴って爪部３２ｂの外径が順次に拡大して行き、回転子２の反対側の貫通穴２１の内周面と回転子保持具本体３１の外周部との隙間がなくなり、しっかりと保持できる位置まで挿入する。このようにして、回転子保持具３と回転子２とは一体化される。したがって、この一体化された回転子保持具３の回転子２より突出する両端部を、アンバランス測定装置１の軸受部４のローラ４１上に載せて、回転子２を支持することによって、軸を有した回転子と同様にアンバランス測定を行うことができる。
【００１８】
以上説明したように、本発明のアンバランス測定用回転子保持具を使用することによって、今まで不可能であった軸を有さない回転子のアンバランス測定が可能となった。また、保持部材が爪部と弾性部とを有すると共に、これらが交互に接合して輪になっていることで、回転子の内径の中心が回転中心の軸となるように、回転子保持具が回転子をしっかりと保持可能にしている。
【図面の簡単な説明】
【図１】アンバランス測定装置の全体構成を示す正面図と側面図である。
【図２】本発明の実施の形態のアンバランス測定用回転子保持具の構成を示す図である。
【図３】アンバランス測定用回転子保持具の保持部材の正面図、平面図及び側面図である。
【図４】従来の軸付き電動機回転子を示す図である。
【符号の説明】
１…アンバランス測定装置
２…回転子
３…（アンバランス測定用）回転子保持具
３１…回転子保持具本体
３１ａ…テーパー部
３２…保持部材
３２ａ…座部
３２ｂ…爪部
３２Ｃ１  …第１の弾性部
３２Ｃ２  …第２の弾性部
３２ｄ…逃がし穴
３２ｅ…面取り部
４…軸受部
４１…ローラ
５…軸受支持台
６…板ばね
７…センサ
【図１】
2004163374.tif 000003
【図２】
2004163374.tif 000004
【図３】
2004163374.tif 000005
【図４】
2004163374.tif 000006